(57)【要約】【課題】簡易な作業により支持脚への電源コードの配置を可能とする換気扇を得ること。【解決手段】換気扇１０は、本体枠１と、本体枠１に取り付けられた支持脚３とを備える。換気扇１０は、支持脚３により支持された電動機４と、電動機４の駆動により回転して空気流を発生させる羽根車５と、電動機４への電力供給のための電源コード７とを備える。支持脚３には、窪み部９が設けられている。窪み部９は、電源コード７を配置可能な凹形状をなす。【選択図】図２
2018179458.tif 000002
【特許請求の範囲】
【請求項１】
本体枠と、
前記本体枠に取り付けられた支持脚と、
前記支持脚により支持された電動機と、
前記電動機の駆動により回転して空気流を発生させる羽根車と、
前記電動機への電力供給のための電源コードと
を備え、
前記支持脚には、前記電源コードを配置可能な凹形状をなす窪み部が設けられていることを特徴とする換気扇。
【請求項２】
前記電動機を支持する複数の支持脚を備え、
前記窪み部は、前記複数の支持脚のうち前記電源コードが配置される１つの支持脚に設けられていることを特徴とする請求項１に記載の換気扇。
【請求項３】
前記窪み部は、前記複数の支持脚の各々に設けられていることを特徴とする請求項２に記載の換気扇。
【請求項４】
前記窪み部は、前記支持脚のうち前記電動機に固定されている側の第１端と、前記本体枠に固定されている側の第２端との間において部分的に設けられていることを特徴とする請求項１または２に記載の換気扇。
【請求項５】
前記窪み部は、前記支持脚のうち前記電動機が固定されている側の第１端から前記本体枠に固定されている側の第２端にわたって設けられていることを特徴とする請求項１から３のいずれか１つに記載の換気扇。
【請求項６】
第１の方向へ向けられた前記窪み部である第１の窪み部と、前記第１の方向とは逆の方向である第２の方向へ向けられた前記窪み部である第２の窪み部とを備え、
前記電源コードは、前記第１の窪み部と前記第２の窪み部とのうちの一方に配置されていることを特徴とする請求項５に記載の換気扇。
【請求項７】
本体枠と、
前記本体枠に取り付けられた支持脚と、
前記支持脚により支持された電動機と、
前記電動機の駆動により回転して空気流を発生させる羽根車と、
前記電動機への電力供給のための電源コードと
を備え、
前記支持脚には切り欠き部が設けられ、前記切り欠き部から前記支持脚の内部へ前記電源コードが配置されていることを特徴とする換気扇。
【発明の詳細な説明】
【技術分野】
【０００１】
本発明は、羽根車を回転させて空気流を発生させる換気扇に関する。
【背景技術】
【０００２】
換気扇の本体枠に取り付けられた複数の支持脚により、羽根車を駆動させる電動機が支持されている換気扇が知られている。支持脚には、折り曲げが施された板材あるいはパイプ材が用いられる。また、支持脚には、電動機への電力供給のための電源コードが配置されることがある。
【０００３】
特許文献１には、板材である支持脚に電源コードが固定された換気扇の技術が開示されている。支持脚には複数のバンド孔が施されており、支持脚に沿わせた電源コードが、バンド孔ごとに通された合成樹脂製のバンドによって締め付けられている。
【先行技術文献】
【特許文献】
【０００４】
【特許文献１】実開昭６３−１６５４２５号公報
【発明の概要】
【発明が解決しようとする課題】
【０００５】
換気扇の組立における作業性の向上を図る上で、換気扇は、簡易な作業により支持脚へ電源コードを配置可能であることが望まれている。
【０００６】
本発明は、上記に鑑みてなされたものであって、簡易な作業により支持脚への電源コードの配置を可能とする換気扇を得ることを目的とする。
【課題を解決するための手段】
【０００７】
上述した課題を解決し、目的を達成するために、本発明にかかる換気扇は、本体枠と、本体枠に取り付けられた支持脚と、支持脚により支持された電動機と、電動機の駆動により回転して空気流を発生させる羽根車と、電動機への電力供給のための電源コードとを備える。支持脚には、電源コードを配置可能な凹形状をなす窪み部が設けられている。
【発明の効果】
【０００８】
本発明によれば、簡易な作業により支持脚へ電源コードを配置できるという効果を奏する。
【図面の簡単な説明】
【０００９】
【図１】本発明の実施の形態１にかかる換気扇の正面図
【図２】図１のII−II線における換気扇の矢視図
【図３】図２のIII−III線における支持脚、電源コードおよび結束バンドの断面図
【図４】本発明の実施の形態２にかかる換気扇の正面図
【図５】図４のV−V線における換気扇の矢視図
【図６】実施の形態２にかかる換気扇の変形例を示す図
【図７】本発明の実施の形態３にかかる換気扇の正面図
【図８】図７のVIII−VIII線における支持脚、電源コードおよび結束バンドの断面図
【図９】本発明の実施の形態４にかかる換気扇の正面図
【図１０】図９に示す切り欠き部が設けられている支持脚の平面図
【図１１】図９のX−X線における支持脚および電源コードの断面図
【発明を実施するための形態】
【００１０】
以下に、本発明の実施の形態にかかる換気扇を図面に基づいて詳細に説明する。なお、この実施の形態によりこの発明が限定されるものではない。
【００１１】
実施の形態１．
図１は、本発明の実施の形態１にかかる換気扇１０の正面図である。換気扇１０は、工場、倉庫、店舗あるいは住宅において、壁に形成された開口に取り付けられる。換気扇１０は、室内から室外への排気あるいは室外から室内への給気により、室内の換気を行う。
【００１２】
換気扇１０は、本体枠１と、本体枠１に取り付けられた４つの支持脚３と、４つの支持脚３により支持された電動機４と、電動機４の駆動により回転して空気流を発生させる羽根車５とを備える。図１において、本体枠１の外縁は矩形をなしている。本体枠１の中央には、換気扇１０の通風路である風洞部２が設けられている。電動機４は、風洞部２の中心位置に電動機４の回転軸が一致するように配置されている。プロペラファンである羽根車５は、電動機４の回転軸に連結されている。羽根車５は、電動機４による回転軸の駆動に伴って風洞部２内にて回転し、風洞部２を通る空気流を発生させる。なお、図１では電動機４の回転軸の図示を省略している。
【００１３】
４つの支持脚３は、電動機４から本体枠１の各角部へ向けて放射状に延ばされた棒状の部材である。各支持脚３は、鋼材である丸型のパイプ材からなる。各支持脚３は、本体枠１側の端に設けられた板状の取付板６を含む。取付板６は、ボルト１１により本体枠１に固定されている。取付板６が本体枠１に固定されていることで、支持脚３は本体枠１に取り付けられている。各支持脚３のうち電動機４側の端は、電動機４の側面に固定されている。各支持脚３には、電動機４を支持可能に折り曲げが施されている。支持脚３の材料は、電動機４を支持可能な剛性を持つ鋼材以外の材料であっても良く、鋼材以外の金属材料であっても良い。
【００１４】
また、換気扇１０は、電動機４への電力供給のための電源コード７を備える。電源コード７は、４つの支持脚３のうちの１つに沿って配されており、換気扇１０外の商用電源へ接続される。結束バンド８は、支持脚３と電源コード７とを結束することで、支持脚３に電源コード７を固定する。電源コード７は、任意の数の結束バンド８により支持脚３に固定されている。結束バンド８は、結束状態とされてからの結束を緩ませる変形が制限されており、結束状態を維持可能とする。１つの例では、結束バンド８は、合成樹脂材料を用いて形成されている。結束バンド８は、合成樹脂材料以外の材料を用いて形成されたものであっても良い。
【００１５】
図２は、図１のII−II線における換気扇１０の矢視図である。図３は、図２のIII−III線における支持脚３、電源コード７および結束バンド８の断面図である。支持脚３には、電源コード７を配置可能な凹形状をなす窪み部９が設けられている。窪み部９は、支持脚３のうち電動機４に固定されている側の第１端１２と、本体枠１に固定されている側、すなわち取付板６が設けられている側の第２端１３との間において部分的に設けられている。図２において、支持脚３には３つの窪み部９が設けられている。図２において、窪み部９は、支持脚３の軸方向を長手方向とする長円形状をなしている。結束バンド８は、窪み部９の位置において、支持脚３と、窪み部９の上に配置された電源コード７とを結束している。これにより、電源コード７は、各窪み部９の上を通るとともに支持脚３に沿うように配線されている。なお、窪み部９の数は、３つに限られず任意であるものとする。窪み部９の位置は、第１端１２と第２端１３との間の任意の位置であるものとする。
【００１６】
図３に示すように、窪み部９は、支持脚３の表面からパイプ内部へ向けて支持脚３の一部を凹ませて形成された部分である。窪み部９は、支持脚３への押圧により形成される。図３において、支持脚３の管側面のうち窪み部９以外の部分は、一定の曲率半径の円弧で表される。図３において、窪み部９は、かかる曲率半径の円の中心へ向けて湾曲する曲線で表される。なお、かかる円の中心位置は、支持脚３の軸１４の位置であるものとする。
【００１７】
窪み部９に電源コード７が配置されることで、窪み部９の凹形状の面に、曲率を持つ電源コード７の表面が接触する。窪み部９に電源コード７を接触させることで、窪み部９が設けられていない場合と比較して、支持脚３のうち電源コード７と接触する部分の面積が広くなる。これにより、換気扇１０は、支持脚３における電源コード７の位置を安定させることが可能となり、支持脚３からの電源コード７のずれを低減できる。電源コード７の配線の際には、窪み部９に電源コード７を接触させることで、支持脚３における電源コード７の位置を安定させた状態として電源コード７を固定することができる。支持脚３における電源コード７の位置が不安定な状態における電源コード７の固定を要する場合に比べて、電源コード７の固定のための作業における手間を低減できる。
【００１８】
また、窪み部９における電源コード７の位置は、窪み部９以外の部分における電源コード７の位置と比べて軸１４から近い位置となる。窪み部９の位置における支持脚３と電源コード７とを合わせた幅が、窪み部９以外の部分における支持脚３と電源コード７とを合わせた幅より小さくなることで、結束バンド８は、窪み部９の位置にて電源コード７を強く締め付けることができる。これにより、換気扇１０は、支持脚３に電源コード７を強固に固定することができる。また、換気扇１０は、支持脚３の軸１４の方向における結束バンド８のずれを低減できる。
【００１９】
窪み部９での結束バンド８の締め付けを強くできることで、結束バンド８が通されるバンド孔が支持脚３に設けられていなくても、支持脚３における結束バンド８のずれを低減できる。換気扇１０の製造工程では、支持脚３へバンド孔を形成する工程が不要となる。また、支持脚３へ電源コード７を固定する工程では、支持脚３に取り付けられる各結束バンド８をわずかな径の各バンド孔へ通す作業が不要となる。これにより、支持脚３へ電源コード７を固定する際における作業の手間を低減できる。
【００２０】
なお、窪み部９の形状は、長円以外の形状であっても良く、楕円、円、矩形あるいは三角形であっても良い。窪み部９は、三角リブと同様に形成可能なリブ形状を備えるものであっても良い。支持脚３は、丸型のパイプ材に限られず、角型のパイプ材、あるいは板材であっても良い。支持脚３が板材である場合、窪み部９は、板材の表面から裏面へ向けて、板材の一部を凹ませて形成された部分とする。この場合も、換気扇１０は、支持脚３における電源コード７の位置を安定させることができ、かつ支持脚３に電源コード７を強固に固定することができる。
【００２１】
支持脚３への電源コード７の固定には、結束バンド８以外の固定部材が使用されても良い。１つの例では、固定部材には、電源コード７を把持するクリップと、支持脚３にクリップを固定するネジとが用いられても良い。
【００２２】
実施の形態１によると、換気扇１０は、支持脚３に設けられた窪み部９に電源コード７を接触させることで、支持脚３における電源コード７の位置を安定させることができ、かつ支持脚３に電源コード７を強固に固定することができる。また、換気扇１０は、簡易な作業により、支持脚３へ電源コード７を固定することができる。これにより、換気扇１０は、簡易な作業により支持脚３へ電源コード７を配置できるという効果を奏する。
【００２３】
図２に示す支持脚３には、パイプ材あるいは板材の一部を凹ませて形成された窪み部９に代えて、パイプ材あるいは板材の一部を切り欠いて形成された切り欠き部が設けられていても良い。切り欠き部は、後述する実施の形態４の切り欠き部と同様に形成されても良い。切り欠き部は、窪み部９と同様に、支持脚３の任意の位置に設けられる。電源コード７は、切り欠き部の上を通るとともに支持脚３に沿うように配線される。支持脚３のうち切り欠き部が設けられている部分では、電源コード７は、切り欠き部に当接される。結束バンド８は、切り欠き部の位置において、支持脚３と電源コード７とを結束する。
【００２４】
切り欠き部の位置における支持脚３と電源コード７とを合わせた幅が、切り欠き部以外の部分における支持脚３と電源コード７とを合わせた幅より小さくなることで、結束バンド８は、切り欠き部の位置にて電源コード７を強く締め付けることができる。換気扇１０は、切り欠き部が設けられる場合も、支持脚３における電源コード７の位置を安定させることができる。電源コード７の配線の際には、電源コード７を切り欠き部へ当接させることで、支持脚３における電源コード７の位置を安定させた状態として電源コード７を固定することができる。これにより、電源コード７の固定のための作業における手間を低減できる。また、換気扇１０は、切り欠き部からの電源コード７のずれを低減可能とし、支持脚３に電源コード７を強固に固定することができる。これにより、換気扇１０は、簡易な作業により支持脚３へ電源コード７を配置することができる。
【００２５】
実施の形態２．
図４は、本発明の実施の形態２にかかる換気扇２０の正面図である。図５は、図４のV−V線における換気扇２０の矢視図である。換気扇２０は、図２に示す窪み部９に代えて設けられた窪み部２１を備える。実施の形態１と同一の部分には同一の符号を付し、重複する説明を省略する。
【００２６】
窪み部２１は、電源コード７を配置可能な凹形状をなす。窪み部２１は、支持脚３における第１端１２から第２端１３にわたって設けられている。電源コード７は、窪み部２１を沿うように配線されている。電源コード７は、任意の数の結束バンド８により支持脚３に固定されている。実施の形態２における支持脚３、電源コード７および結束バンド８の断面は、図３に示す断面と同様である。
【００２７】
窪み部２１に電源コード７が配置されることで、換気扇２０は、支持脚３における電源コード７の位置を安定させることができる。また、換気扇２０は、支持脚３における電源コード７の位置を安定させることで、電源コード７の固定のための作業における手間を低減できる。さらに、換気扇２０は、窪み部２１からの電源コード７のずれを低減でき、支持脚３に電源コード７を強固に固定することができる。
【００２８】
支持脚３は、第１端１２から第２端１３にわたって窪み部２１が設けられていることで強度が高められている。窪み部２１は、支持脚３を補強する機能を果たしている。これにより、換気扇２０は、強固な支持脚３により電動機４を支持可能とし、構造の強度を高めることができる。また、窪み部２１による支持脚３の補強が可能であることで、支持脚３であるパイプ材の壁の厚みあるいはパイプ材の径を縮小し得る。支持脚３が板材である場合は、板材の厚みと幅とを縮小し得る。これにより、支持脚３の材料を少なくできることで、換気扇２０は、軽量化と製造コスト低減とが可能となる。
【００２９】
なお、窪み部２１には、第１端１２から第２端１３の間において、支持脚３の管側面からの深さが他の部分より深くされた部分が設けられていても良い。かかる部分では、支持脚３と電源コード７とを合わせた幅が、他の部分における支持脚３と電源コード７とを合わせた幅より小さくなることで、結束バンド８は、かかる部分にて電源コード７を強く締め付けることができる。これにより、換気扇２０は、支持脚３に電源コード７を強固に固定することができる。また、換気扇２０は、支持脚３の軸１４の方向における結束バンド８のずれを低減できる。
【００３０】
図６は、実施の形態２にかかる換気扇２０の変形例を示す図である。変形例では、４つの支持脚３全てに窪み部２１が設けられている。窪み部２１は、換気扇２０に含まれる複数の支持脚３の各々に設けられている。換気扇２０は、各支持脚３に窪み部２１が設けられることで、構造の強度をさらに高めることができ、軽量化と製造コスト低減とが可能となる。また、換気扇２０は、各支持脚３に窪み部２１が設けられることで、複数の支持脚３について部品を共通化できる。実施の形態２と同様に、実施の形態１においても、各支持脚３に窪み部９を設けることにより複数の支持脚３について部品を共通化しても良い。
【００３１】
実施の形態２によると、換気扇２０は、支持脚３に設けられた窪み部２１に電源コード７を接触させることで、支持脚３における電源コード７の位置を安定させることができ、かつ支持脚３に電源コード７を強固に固定することができる。換気扇２０は、簡易な作業により支持脚３へ電源コード７を配置できるという効果を奏する。また、換気扇２０は、支持脚３に窪み部２１が設けられることで、構造の強度を高めることができる。
【００３２】
実施の形態３．
図７は、本発明の実施の形態３にかかる換気扇３０の正面図である。図８は、図７のVIII−VIII線における支持脚３、電源コード７および結束バンド８の断面図である。換気扇３０は、第１の窪み部３１と第２の窪み部３２とを備える。実施の形態１および２と同一の部分には同一の符号を付し、重複する説明を省略する。
【００３３】
第１の窪み部３１と第２の窪み部３２とは、電源コード７を配置可能な凹形状をなす窪み部である。第１の窪み部３１は、第１の方向へ向けて設けられている。図７において、第１の方向は、左斜め下の方向である。第２の窪み部３２は、第１の方向とは逆の方向である第２の方向へ向けて設けられている。図７において、第２の方向は、右斜め上の方向である。図８に示すように、支持脚３の断面形状は、軸１４を中心として左右対称となる。第１の窪み部３１と第２の窪み部３２とは、支持脚３において対称な位置に設けられている。
【００３４】
第１の窪み部３１と第２の窪み部３２とは、図５に示す窪み部２１と同様に、支持脚３における第１端１２から第２端１３にわたって設けられている。電源コード７は、第１の窪み部３１に配置されている。電源コード７は、第１の窪み部３１と第２の窪み部３２とのうちの一方に配置されていれば良く、第２の窪み部３２に配置されても良い。
【００３５】
支持脚３は、第１の窪み部３１と第２の窪み部３２とが設けられていることで、強度が高められている。換気扇３０は、強固な支持脚３により電動機４を支持可能とし、構造の強度を高めることができる。換気扇３０は、支持脚３の材料を少なくできることで、軽量化と製造コスト低減とが可能となる。支持脚３において対称な位置に第１の窪み部３１と第２の窪み部３２とが設けられていることで、換気扇３０は、羽根車５の回転方向に関わらず強度を高めることができる。
【００３６】
なお、第１の窪み部３１には、第１端１２から第２端１３の間において、支持脚３の管側面からの深さが他の部分より深くされた部分が設けられていても良い。かかる部分にて結束バンド８が電源コード７を強く締め付け可能となることで、換気扇３０は、支持脚３に電源コード７を強固に固定することができる。また、換気扇３０は、支持脚３の軸１４の方向における結束バンド８のずれを低減できる。支持脚３の管側面からの深さが他の部分より深くされた部分は、第２の窪み部３２に設けられていても良い。
【００３７】
なお、換気扇３０には、実施の形態２の変形例と同様に、４つの支持脚３全てに第１の窪み部３１と第２の窪み部３２とが設けられていても良い。第１の窪み部３１と第２の窪み部３２とは、換気扇３０に含まれる複数の支持脚３の各々に設けられている。換気扇３０は、各支持脚３に第１の窪み部３１と第２の窪み部３２とが設けられることで、構造の強度をさらに高めることができ、軽量化と製造コスト低減とが可能となる。換気扇３０は、各支持脚３に第１の窪み部３１と第２の窪み部３２が設けられることで、複数の支持脚３について部品を共通化できる。
【００３８】
実施の形態３によると、換気扇３０は、支持脚３に設けられた第１の窪み部３１と第２の窪み部３２との一方に電源コード７を接触させることで、支持脚３における電源コード７の位置を安定させることができ、かつ支持脚３に電源コード７を強固に固定することができる。換気扇３０は、簡易な作業により支持脚３へ電源コード７を配置できるという効果を奏する。また、換気扇３０は、支持脚３に第１の窪み部３１と第２の窪み部３２とが設けられることで、構造の強度を高めることができる。
【００３９】
実施の形態４．
図９は、本発明の実施の形態４にかかる換気扇４０の正面図である。換気扇４０の支持脚３には、図２に示す窪み部９に代えて、切り欠き部４１，４２が設けられている。実施の形態１と同一の部分には同一の符号を付し、重複する説明を省略する。
【００４０】
図１０は、図９に示す切り欠き部４１，４２が設けられている支持脚３の平面図である。切り欠き部４１は、支持脚３のうち第１端１２側の位置に設けられている。切り欠き部４２は、支持脚３のうち第２端１３側の位置に設けられている。電源コード７は、切り欠き部４１，４２から支持脚３の内部へ通されている。
【００４１】
図１０において、切り欠き部４１，４２は、支持脚３の軸方向を長手方向とする長円形状をなしている。切り欠き部４１，４２は、支持脚３であるパイプ材の壁の一部を切り欠くことにより形成されている。支持脚３には、支持脚３の内部に引き込まれた電源コード７が通されている切り欠き部４１，４２が設けられている。
【００４２】
電動機４からの電源コード７は、切り欠き部４１から支持脚３の内部へ引き込まれている。電源コード７は、切り欠き部４１と切り欠き部４２との間において、支持脚３の内部を通されている。支持脚３の内部を通された電源コード７は、切り欠き部４２から、支持脚３の外部へ引き出されている。
【００４３】
図１１は、図９のX−X線における支持脚３および電源コード７の断面図である。実施の形態４では、実施の形態１から３のように支持脚３の外部での結束バンド８による固定に代えて、電源コード７が支持脚３の内部に配置される。換気扇４０は、支持脚３の内部に電源コード７が配置されることで、支持脚３における電源コード７の位置を安定させることができる。
【００４４】
換気扇４０は、支持脚３の外部における電源コード７の固定のための固定部材が不要となる。換気扇４０は、切り欠き部４１，４２へ電源コード７を通すことで、固定部材を用いずかつ簡易な作業により、支持脚３へ電源コード７を配置することができる。また、換気扇４０は、支持脚３の内部に電源コード７が配線されることで、通風路にて空気流を遮る張り出し部分を少なくすることが可能となる。これにより、換気扇４０は、運転時における風切り音を低減できる。
【００４５】
切り欠き部４１，４２の形状は、長円以外の形状であっても良く、楕円、円、矩形あるいは三角形であっても良い。換気扇４０は、各支持脚３に切り欠き部４１，４２を設けることで、複数の支持脚３について部品を共通化しても良い。
【００４６】
実施の形態４によると、換気扇４０は、切り欠き部４１，４２から支持脚３の内部へ電源コード７が通されていることで、支持脚３における電源コード７の位置を安定させることができる。換気扇４０は、簡易な作業により支持脚３へ電源コード７を配置できるという効果を奏する。
【００４７】
なお、実施の形態４において、支持脚３には、切り欠き部４１，４２に加えて、実施の形態２と同様に、図５に示す窪み部２１が設けられていても良い。支持脚３を補強する機能を果たす窪み部２１が設けられることで、換気扇４０は、強固な支持脚３により電動機４を支持可能とし、構造の強度を高めることができる。また、換気扇４０は、実施の形態２にかかる換気扇２０の場合と同様に、軽量化と製造コスト低減とが可能となる。実施の形態４において、支持脚３には、切り欠き部４１，４２に加えて、実施の形態３と同様に、図８に示す第１の窪み部３１と第２の窪み部３２とが設けられていても良い。この場合も、換気扇４０は、強固な支持脚３により電動機４を支持可能とし、構造の強度を高めることができるとともに、軽量化と製造コスト低減とが可能となる。
【００４８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４９】
１  本体枠、２  風洞部、３  支持脚、４  電動機、５  羽根車、６  取付板、７  電源コード、８  結束バンド、９，２１  窪み部、１０，２０，３０，４０  換気扇、１１  ボルト、１２  第１端、１３  第２端、１４  軸、３１  第１の窪み部、３２  第２の窪み部、４１，４２  切り欠き部。
【図１】
2018179458.tif 000003
【図２】
2018179458.tif 000004
【図３】
2018179458.tif 000005
【図４】
2018179458.tif 000006
【図５】
2018179458.tif 000007
【図６】
2018179458.tif 000008
【図７】
2018179458.tif 000009
【図８】
2018179458.tif 000010
【図９】
2018179458.tif 000011
【図１０】
2018179458.tif 000012
【図１１】
2018179458.tif 000013